(57)【特許請求の範囲】
【請求項１】
映像信号、音声信号、データ信号のうち少なくとも一つ、及びサービスに関するサービス情報を含む付加データが多重化されて送信された信号を受信し、受信した信号に選局、復調、及び誤り訂正の処理を行うチャンネルデコード手段と、
該チャンネルデコード手段から出力される多重化信号を分離し、映像信号、音声信号、データ信号のうちの少なくとも一つの信号を出力するとともに、前記付加データの１つであるサービス情報を抽出するデマルチプレクサと、
ユーザ指示を入力するためのユーザ指示入力手段と、
該ユーザ指示入力手段から入力された入力指示により、記憶されているチャンネルの周波数や変調方式、誤り訂正方式、限定受信の契約情報など、番組を視聴するための処理に必要な情報や、番組表や番組案内などの表示に関する情報であるサービス情報を出力する処理又は、該抽出されたサービス情報のうち映像信号、音声信号、データ信号のうち少なくとも一つを再生するために必要な情報を記憶する処理のいずれかの処理を行う記憶手段と、
前記デマルチプレクサから出力される符号化データを復号化し、前記記憶手段から出力される情報に基づいて映像信号、音声信号、データ信号のうちの少なくとも一つを出力するソースデコーダと、
前記記憶手段に記憶された前記必要な情報を用いて、前記チャンネルデコード手段、前記デマルチプレクサ、または、前記ソースデコーダが所定の処理を行うように制御し、受信した映像信号、音声信号、データ信号のうち少なくとも一つを再生すべき信号として出力するように制御する制御手段と、
を備えてなることを特徴とするテレビジョン信号受信装置。
【請求項２】
請求項１に記載のテレビジョン信号受信装置において、
前記制御手段は、前記デマルチプレクサから出力されるサービス情報が更新されたときに前記記憶装手段に記録された情報を更新する制御を行うことを特徴とするテレビジョン信号受信装置。
【請求項３】
請求項１又は２に記載のテレビジョン信号受信装置において、
前記サービス情報とは、ＭＰＥＧ−２システムズにおけるＰＳＩに含まれる情報であることを特徴とするテレビジョン信号受信装置。
【請求項４】
請求項１又は２に記載のテレビジョン信号受信装置において、
前記サービス情報とは、番組表又は番組案内を含むことを特徴とするテレビジョン信号受信装置。
【請求項５】
番組データ及び前記番組データに関する付加データを入力する入力手段と、
前記入力手段により入力された前記番組データ及び前記付加データを復調する復調する復調手段と、
前記復調手段により復調された前記番組データ及び前記付加データの誤り訂正処理を行う誤り訂正手段と、
前記誤り訂正手段により誤り訂正された前記番組データと前記付加データとを分離し、前記付加データに含まれるサービスに関する情報を抽出する分離抽出手段と、
前記分離抽出手段からの出力信号を記憶する記憶手段と、
ユーザ指示を入力するためのユーザ指示入力手段と、
前記ユーザ指示入力手段から入力された入力指示により、前記抽出されたサービス情報のうち番組データの再生に必要な情報を前記記憶手段に記憶し、前記記憶された前記必要な情報を用いて前記番組データの再生処理を行うよう制御する制御手段と、を備えたことを特徴とするテレビジョン信号受信装置。
【発明の詳細な説明】
【０００１】
本発明は、テレビジョン信号受信装置に関し、特に、映像信号、音声信号、データ信号、番組情報などの付加データとが多重された信号を処理するものであって、多重化信号の中の付加データの一つであるサービス情報のすべてまたは一部を記録し、ユーザの要求に応じて記録した情報から必要な情報を読み出すことにより、処理の高速化を図り、ユーザの要求した動作への応答性を向上させた装置に関するものである。
【０００２】
【従来の技術】
従来、映像とデータを多重して放送する放送方式として特公平４−１５６７６に開示されたような文字放送があった。しかしながら、文字情報は、テレビジョン信号の垂直帰線期間内の特定ラインのみで伝送されるので、データ量はさほど大きくなく、従って、高度なデータ放送は困難であった。
【０００３】
映像内容と関係のある放送としては、会話内容をデータとして伝送し、受像機側では、これをデコードして難聴者のための字幕を付加することがあり、また、映像内容と直接関係しない放送としては、ニュース、天気予報、番組案内、株の価格情報などを表示することがあった。いずれにしても、極めて短い時間内に内容が大きく変化する種類の情報ではなかった。
【０００４】
このように、文字放送に代表される従来のデータ放送ではデータ量に制限があり、高度な放送ができないと言う問題があったため、これが１つの要因となり、現在、ディジタル放送方式が検討されている。ここでは、データ信号は勿論、映像信号、音声信号、サービス情報すべてがディジタルデータに変換されるが、ディジタル技術を用いれば、これらの信号を大幅に圧縮することが可能となり、結果的に、現在の１チャンネルの帯域幅に４〜６チャンネルの信号が多重できるようになる。
【０００５】
【発明が解決しようとする課題】
このようなディジタル放送方式では、現在の１チャンネルの帯域幅に４〜６チャンネルの信号が多重できるようになるため、数百チャンネルという多チャンネル化を可能とする。さらにディジタル技術は、さまざまな新機能をもたらす。例えば、画面に表示した番組表から見たい番組を探して直接選択することや、ホーム・ショッピング情報を手に入れ商品の申し込みができること、クイズ番組への参加、討論番組などでのアンケート調査への参加、またニア・オン・デマンド・サービスなどが挙げられる。このようなディジタル放送においては、視聴者がアクセスする場面が多くなり、受信機はユーザの操作への素早い対応が必要とされる。しかし、送信されてくる情報が増加すればそれだけ、必要な情報を検索して取得するまでの処理時間もかかることになり、ユーザの要求があってから、送信されて来る情報を検索し情報を取得したのでは、ユーザの要求に対する迅速な応答性に欠ける、という問題が生じる。
【０００６】
【課題を解決するための手段】
上記の問題点を解決するため、本発明においては、選局、ディジタル復調、及び誤り訂正処理を行うチャンネルデコーダと、映像信号、音声信号、データ信号、及び付加データが多重され送信される多重化信号をそれぞれの符号化データに分離するとともに、付加データの１つであるサービス情報を抽出するデマルチプレクサと、該デマルチプレクサによって抽出されたサービス情報を記憶する記憶装置と、該記憶装置の書き込みを制御する書き込み制御装置と、前記記憶装置の読み出しを制御する読み出し制御装置と、前記デマルチプレクサの出力である符号化データを復号化し、映像信号、音声信号、データ信号を出力するソースデコーダとを備え、送信されるサービス情報を記録し、記録した情報を視聴者の要求に応じて読み出すことにより、処理を高速化し、視聴者の操作への応答性を高速に行うようにするものである。
【０００７】
【発明の実施の形態】
以下、本発明の具体的実施例を図面を用いて説明する。
【０００８】
その前に、ディジタル放送方式の概要について若干の説明を加える。図２はディジタル放送方式の処理を示すものであり、同図において、２０１はエンコーダ、２０２は多重化装置、２０３は伝送路符号化装置、２０４は変調装置である。
【０００９】
放送局側において、映像信号、音声信号、データ信号はディジタル信号に変換された後、エンコーダ２０１により圧縮が行われる。この圧縮の方法としては、ＤＰＣＭ(DIFFERENTIAL PULSE CODE MODULATION)による方法や、ＤＣＴ(DISCRETE COSINE TRANSFORM)、ＭＰＥＧ２(MOVING PICTURE EXPERTS GROUP PHASE 2)による方法などがある。こうして圧縮して得られたデータは付加データと共に、多重化装置２０２によって、ヘッダ、誤り訂正検査ビットを加えパケットに変換される。このパケットの構造を図３(A)に示す。このようなパケットは、例えば図３(B)に示すように、映像のパケット、音声のパケット、付加データのパケット、再び映像のパケットと言うように、順番に並べられて多重化される。多重位置は任意であり、ヘッダに含まれるデータによりそれぞれのパケットを識別できる。こうして得られた多重化信号は、伝送路符号化装置２０３によって、ビタビ符号のような畳み込み符号化やリードソロモン符号のようなブロック符号化などの手法を用いて符号化される。符号化データは変調装置２０４によりＯＦＤＭやＱＰＳＫなどのディジタル変調が施され、放送電波の形態となって送出される。
【００１０】
以上がディジタル放送方式の概要である。
【００１１】
以下、本発明の実施例について説明する。図１は本発明の第１の実施例を示す図であり、同図において、１０１は信号入力端子、１０２はチューナ、１０３は復調器、１０４は誤り訂正回路、１０６はデマルチプレクサ、１０７はソースデコーダ、１０８は選局処理回路、１０９は記憶装置、１１０は書き込み制御装置、１１１は読み出し制御装置、１１２はユーザ指令入力端子である。
【００１２】
信号入力端子１０１にはディジタル放送信号が入力され、チューナ１０２により同調及び検波されてディジタル情報となり、復調器１０３に出力される。復調器１０３は、ディジタル変調された信号を復調し、誤り訂正回路１０４に出力する。誤り訂正回路１０４は、伝送路で発生するノイズなどの影響による誤りを訂正する操作を施し、デマルチプレクサ１０６へ出力する。デマルチプレクサ１０６は、送信側において映像信号、音声信号などが多重化された多重化信号を分離してソースデコーダ１０７へ出力すると共に、付加データの１つであるサービス情報を抽出し、記憶装置１０９及び書き込み制御装置１１０へ供給する。ソースデコーダ１０７は、デマルチプレクサ１０６から出力される符号化データを復号化し、映像信号、音声信号、データ信号を出力する。
【００１３】
サービス情報には、チャンネルの周波数や変調方式、誤り訂正方式、限定受信の契約情報など、番組を視聴するための処理に必要な情報や、番組表や番組案内などの表示に関する情報などが含まれる。
【００１４】
書き込み制御装置１１０は、デマルチプレクサ１０６から出力されるサービス情報の中からそのサービス情報固有のデータを取得し、その固有データをもとに記憶装置１０９への書き込みを管理する。サービス情報固有のデータとしては、例えば多重方式がパケット多重方式の場合は、パケットのヘッダによってサービス情報を識別できる。
【００１５】
記憶装置１０９は、書き込み制御装置１１０からの制御信号をもとに、デマルチプレクサ１０６から出力される全サービス情報を記録するが、既に記録されている情報と同一の固有番号の情報が送信されてきた場合、すなわち送信側でサービス情報が更新されている場合は、記憶装置１０９の記録内容を更新記録する。読み出し制御装置１１１は、ユーザ指令入力端子１１２に入力されるユーザ指令に応じて記憶装置１０９から必要な情報を読み出すように制御信号を出力する。記憶装置１０９は、読み出し制御装置１１１からの制御信号にしたがって、所定の情報を然るべき装置へ出力する。例えば、選局を行う場合には、あらかじめ記憶装置１０９に記録されているサービス情報の中から物理チャンネル情報を読みだし、選局処理回路１０８へ設定する。選局処理回路１０８は、チューナ１０２へ指定されたチャンネルの周波数を設定する処理を行う。図１の例では選局の場合を挙げて説明したが、記憶装置１０９の読み出し先は、変調方式を設定する場合には復調器１０３へ、誤り訂正方式を設定する場合は誤り訂正回路１０４へ、というように任意である。
【００１６】
以上のように、処理に必要な情報をその都度、送信されて来る情報から検索し取得するのではなく、あらかじめ記録しておき、必要時に記録したデータを読み出すことにより、処理を高速化することができ、さらにはユーザによる操作への応答性を向上させることにもつながる。
【００１７】
図４に記憶装置１０９の構成例を示す。この実施例では、半導体メモリを例に挙げて説明する。同図において、６０１はメモリセル、６０２は書き込み用アドレスカウンタ、６０３は読み出し用アドレスカウンタ、６０４は記録信号入力端子、６０５は読み出し信号出力端子である。なお、前掲と同一の部品には同一番号を付してある。
【００１８】
記録信号入力端子６０４に記録信号が入力されると、書き込み制御装置１１０が動作し、書き込み用アドレスカウンタ６０２に対して指令を与え、メモリセル６０１の所定のアドレスに記録する。一方、視聴者からの指令を受けると、読み出し制御装置１１１が動作し、読み出し用アドレスカウンタ６０３がメモリセル６０１の所定アドレスを選択することにより、希望するデータを読み出すようにする。読み出された信号は読み出し信号出力端子６０５に出力される。
【００１９】
記憶装置１０９は、上記の半導体メモリの例で説明したように、信号記録系と信号再生系が独立して２系統存在するため、記録と再生を同時に行えることができる。
【００２０】
本発明によるテレビジョン信号受信装置の第２の実施例を図５に示す。同図において、すべての部品は前掲と同一の部品である。従って、基本的な動作は図１に示した第１の実施例と同じであるが、書き込み制御装置１１０の動作が異なる。すなわち、書き込み制御装置１１０は、ユーザ指令入力端子１１２から入力される情報を参照して、次ステップで行う処理を予測することにより、デマルチプレクサ１０６から出力されるサービス情報のうち必要な情報を取捨選択し、必要な情報のみを記憶装置１０９に書き込むように制御を行う。また、後述の書き込み制御装置１１０の制御方法の例を説明する便宜上、記憶装置１０９の読み出し先として、デマルチプレクサ１０６とソースデコーダ１０７に出力するように記載したが、記憶装置１０９の読み出し先は任意である。記憶装置１０９からデマルチプレクサ１０６には、指定された番組のストリームを出力するための情報が読み出され、ソースデコーダ１０７には、デコードを行うように指示する情報が読み出される。ここで、書き込み制御装置１１０の制御方法について、一例として、ユーザから選局指令があった場合の処理を説明する。図７は選択された番組を視聴するための処理の一般例を示したものである。まず、ステップ９０１においてユーザにより希望する編成チャンネルが指定される。ここで、編成チャンネルとは従来のテレビチャンネルに相当する。次にステップ９０２で、現在のトランスポートストリーム（以下、ＴＳと記す。）のＰＡＴ( Program Association Table )を受信する。ＰＡＴは国際標準であるMPEG-2 Systemsで規定されているＰＳＩ( Program Specific Information )の中のテーブルの１つである。ステップ９０３では、ステップ９０２で受信したＰＡＴ内から希望の編成チャンネルがあるかどうかを検索し、あればスッテプ９０７に移行し、なければステップ９０４に進む。ステップ９０４ではＰＳＩの１つであるＮＩＴ( Network Information Table )を受信し、ＮＩＴの記述子から希望の編成チャンネルを検索して希望の編成チャンネルがある物理チャンネル（周波数チャンネル）を取得する。そしてステップ９０５では、ステップ９０４で取得した物理チャンネルへ移行する。物理チャンネルの移行は、選局処理回路１０８を介し、チューナ１０２に物理チャンネルの周波数を設定することにより実現できる（図５参照）。以上のように、ステップ９０１から９０５までの処理により選局が行われる。次にステップ９０６で、移行後のＴＳのＰＡＴを受信する。そしてステップ９０７で、受信したＰＡＴの中からＰＭＴ( Program Map Table )のＰＩＤ( Packet ID )を取得し、ＰＭＴ( Program Map Table )を受信する。ただし、ＰＩＤはパケットのヘッダに含まれるパケット識別子であり、また、ＰＭＴはＰＳＩのテーブルの１つである。次に、ステップ９０８では、ＰＭＴ内のシステム管理記述子を調べ、ステップ９０９で希望する編成チャンネルが放送であるか非放送であるかを判別する。非放送である場合には、ステップ９０１に戻り、希望の編成チャンネルの指定を変えて再び同じ処理を行うことになる。放送である場合には次のステップへ進み、ステップ９１０でデスクランブル処理など限定受信契約に関わる処理を行う。
限定受信が解除された後、ステップ９１１では、ＰＭＴ内から希望の編成チャンネルの番組を構成する符号化方式のＰＩＤを取得する。そしてそのＰＩＤをデマルチプレクサ１０６に設定し、ストリームを受信する。ステップ９１２では、ソースデコーダ１０７に、デマルチプレクサ１０６から出力される符号化信号をデコードするように設定する（図５参照）。そして、ステップ９１３で希望の編成チャンネルの現在の番組を提示する。以上が番組を視聴するための一般的な処理である。上述した例では、番組を視聴するための処理に、ＰＡＴ内の編成チャンネルデータとＰＭＴのＰＩＤ、ＮＩＴ内の編成チャンネルデータと物理チャンネルデータ、ＰＭＴ内のシステム管理記述子と番組を構成する符号化方式のＰＩＤ、というＰＳＩの情報が必要である。このように、書き込み制御装置１１０は、ユーザによって選局指令があった場合には、送信されて来るサービス情報のうち必要な情報のみを記憶装置１０９に記録するように動作する。以上のように、ユーザ指令をもとに次に行われる動作を予測し、必要な情報のみを記憶するようにすれば、記憶装置１０９が記憶する情報量を減らし、メモリ容量を小さくすることができる。
【００２１】
上記は、番組を視聴するための処理を例に挙げて説明したが、サービス情報には番組表情報も含んで送信されるので、その場合にも、あらかじめ番組表情報を記録し、ユーザの要求時にその記録情報を読み出すことにより、ユーザの希望する番組表を素早く提示することができる。このように、選局処理や番組表提示処理に限らず、サービス情報を用いた処理に対して、処理を高速化することができ、また、希望の内容を素早く提示できるという効果が有る。
【００２２】
本発明によるテレビジョン信号受信装置の第３の実施例を図６に示す。同図において、すべての部品は前掲と同一である。本実施例の動作は、基本的には第２の実施例と同じであるが、書き込み制御装置１１０は、読み出し制御装置１１１の出力信号をもとに次の動作を予測し、記憶装置１０９の書き込みを制御する、という点が異なる。
【００２３】
以上は、ディジタル放送信号について説明したが、現在の地上放送のようなアナログ信号であっても、文字放送用のデータや番組表情報データが挿入されて送信された場合には、これらのデータをサービス情報として記録すればよい。したがって、アナログ信号の場合にも、本発明を用いることが可能であり、上述のディジタル信号の例と同様の効果が得られる。
【００２４】
【発明の効果】
以上述べたように、本発明に従えば、映像信号、音声信号、データ信号と一緒に送信される付加データの１つであるサービス情報を抽出し、そのサービス情報すべて、または情報の一部を記憶装置に自動的に記録または更新記録することにより、例えば選局や番組表の提示、番組内容の表示のような視聴者の要求に対し、処理スピードを高速化し、ユーザの操作への応答性を向上させることができる。
【図面の簡単な説明】
【図１】本発明の第１の実施例を示すブロック図
【図２】ディジタル放送の送受信体系を示すブロック図
【図３】パケット構造およびフレーム構造を示す概念図
【図４】記憶装置１０９の実施例を示すブロック図
【図５】本発明の第２の実施例を示すブロック図
【図６】本発明の第３の実施例を示すブロック図
【図７】希望する番組を視聴するための処理を示すフローチャート
【符号の説明】
１０１・・・ 信号入力端子、１０２・・・ チューナ、１０３・・・ 復調器、１０４・・・ 誤り訂正回路、１０６・・・ デマルチプレクサ、１０７・・・ ソースデコーダ、１０８・・・ 選局処理回路、１０９・・・ 記憶装置、１１０・・・ 書き込み制御装置、１１１・・・ 読み出し制御装置、１１２・・・ ユーザ指令入力端子
【図１】
0003922110.tif 000002
【図２】
0003922110.tif 000003
【図３】
0003922110.tif 000004
【図４】
0003922110.tif 000005
【図５】
0003922110.tif 000006
【図６】
0003922110.tif 000007
【図７】
0003922110.tif 000008